(57)【要約】【課題】受け部材の見付け方向における突出量を小さく抑えることができ、クレセント錠の突出量を小さく抑えた建具を提供する。【解決手段】開閉自在な障子を閉止状態にて施錠するためのクレセント錠を備えた建具であって、前記障子の召合せ框または見込み方向において当該召合せ框と対向する対向部材のうちの一方側には、前記クレセント錠のフック部が、他方側に突出しつつ回動自在に設けられ、前記フック部が係止される受け部材が取り付けられる、前記他方側は、見付け方向において前記フック部が回動する際の軌道領域に突出するとともに、前記軌道領域に突出している部位と前記受け部材との間に、前記フック部が入り込むための空隙が設けられている。【選択図】図２
2010095912.tif 000002
【特許請求の範囲】
【請求項１】
開閉自在な障子を閉止状態にて施錠するためのクレセント錠を備えた建具であって、
前記障子の召合せ框または見込み方向において当該召合せ框と対向する対向部材のうちの一方側には、前記クレセント錠のフック部が、他方側に突出しつつ回動自在に設けられ、
前記フック部が係止される受け部材が取り付けられる、前記他方側は、見付け方向において前記フック部が回動する際の軌道領域に突出するとともに、前記軌道領域に突出している部位と前記受け部材との間に、前記フック部が入り込むための空隙が設けられていることを特徴とする建具。
【請求項２】
前記請求項１に記載の建具であって、
前記受け部材は、前記召合せ框または前記対向部材のうちの他方側に固定される取付部と、前記フック部と対向する受け部と、を有し、
前記召合せ框または対向部材のうちの他方側における前記空隙に臨む面は、見付け方向において前記取付部側から前記受け部側方向に向かって、前記召合せ框と前記対向部材との見込み方向の間隔が順次広がるように傾斜していることを特徴する建具。
【請求項３】
請求項２に記載の建具であって、
前記召合せ框または前記対向部材のうちの他方側は、前記フック部と見込み方向に重なっていることを特徴とする建具。
【発明の詳細な説明】
【技術分野】
【０００１】
本発明は、開閉自在な障子を閉止状態にて施錠するためのクレセント錠を備えた建具に関する。
【背景技術】
【０００２】
従来、開閉自在な障子を閉止状態にて施錠するためのクレセント錠を備えた建具としては、例えば、内障子と外障子とをクレセント錠にて施錠する引き違い窓用の建具が知られている（例えば、特許文献１参照）。このような建具では、クレセント錠のフック部が内障子の召合せ框に回動自在に設けられ、外障子の召合せ框にはフック部が係止される受け金具が取り付けられている。そして、外障子を構成し四方枠組みされた框の内周側に面材としてのガラスの周縁部が収容されるガラス収容部よりガラスの中央側に、クレセント錠のフック部全体が配置されている。
【特許文献１】特願２００５−３５１００８号公報
【発明の開示】
【発明が解決しようとする課題】
【０００３】
上記従来の建具のように、クレセント錠のフック部全体が外障子のガラス収容部よりガラスの中央側に設けられていると、窓越しに外を見る際などに、フック部が目障りであり美観が損なわれると共に、受け金具の見付け方向の突出量も大きくなるという課題がある。
【０００４】
本発明は、かかる課題に鑑みてなされたものであり、その目的とするところは、クレセント錠の見付け方向への突出量を小さく抑えた建具を提供することにある。
【課題を解決するための手段】
【０００５】
かかる目的を達成するために本発明の建具は、開閉自在な障子を閉止状態にて施錠するためのクレセント錠を備えた建具であって、前記障子の召合せ框または見込み方向において当該召合せ框と対向する対向部材のうちの一方側には、前記クレセント錠のフック部が、他方側に突出しつつ回動自在に設けられ、前記フック部が係止される受け部材が取り付けられる、前記他方側は、見付け方向において前記フック部が回動する際の軌道領域に突出するとともに、前記軌道領域に突出している部位と前記受け部材との間に、前記フック部が入り込むための空隙が設けられていることを特徴とする建具である。  
このような建具によれば、障子の召合せ框または対向部材のうち、フック部が係止される受け部材が取り付けられる他方側において軌道領域に突出している部位と受け部材との間に、回動されたフック部が入り込むための空隙が設けられているので、他方側を見付け方向においてフック部の軌道領域に突出させて、他方側とフック部とを見込み方向において重なるように配置することが可能である。このため、召合せ框または対向部材のうちの他方側をフック部の軌道領域に突出させて設けたとしても、回動したフック部は空隙に入り込むので、フック部と他方側とが干渉することなく施錠可能なクレセント錠を備えることが可能である。そして、障子の召合せ框または対向部材のうちの他方側に対する受け部材の見付け方向の突出量を小さく抑えることが可能である。
【０００６】
かかる建具であって、前記受け部材は、前記召合せ框または前記対向部材のうちの他方側に固定される取付部と、前記フック部と対向する受け部と、を有し、前記召合せ框または対向部材のうちの他方側における前記空隙に臨む面は、見付け方向において前記取付部側から前記受け部側方向に向かって、前記召合せ框と前記対向部材との見込み方向の間隔が順次広がるように傾斜していることが望ましい。  
このような建具によれば、フック部の軌道領域側に広い空隙を確保してフック部と召合せ框または対向部材のうちの他方側との干渉を避けることが可能である。また、他方側の面が傾斜しているので、他方側の面には、空隙を設けるために段部等が形成されないので見栄えが良く意匠性に優れた建具を提供することが可能である。
【０００７】
かかる建具であって、前記召合せ框または前記対向部材のうちの他方側は、前記フック部と見込み方向に重なっていることが望ましい。  
このような建具によれば、フック部が係止される受け部材の、召合せ框または対向部材のうちの他方側に対する見付け方向の突出量をより小さくすることができる。
【発明の効果】
【０００８】
本発明によれば、受け部材の見付け方向における突出量を小さく抑えることができ、クレセント錠の突出量を小さく抑えた建具を提供することが可能である。
【発明を実施するための最良の形態】
【０００９】
以下、本発明の一実施形態に係る建具について図面を参照して説明する。  
本実施形態の建具１は、図１に示すような、窓枠１０に沿って見付け方向に移動することにより開閉可能な２枚の障子を備えた引き違い窓用の建具１である。  
この建具１は、同一の断面形状をなす樹脂製の成形部材でなる上下の横枠１１と、左右の縦枠１２との各端部を４５度に切断して矩形状に接合した窓枠１０に、内障子５と外障子６とが見付け方向に移動自在に装着されている。また、建具１には、内障子５と外障子６とを閉止した状態にて施錠するためのクレセント錠３０が設けられている。
【００１０】
また、内障子５と外障子６とは、同一の断面形状をなす樹脂製の成形部材でなる上框２１、下框２２、戸先框２３と、これらと断面形状が一部異なる樹脂製の成形部材でなる召合せ框２４との各端部を４５度に切断して矩形状に接合した框体２０を備え、面材としてのガラス１５の周縁部が框体２０の内周側に収容されて形成されている。
【００１１】
以下の説明では、窓枠１０または障子５、６単体の説明であっても、建具１が取り付けられた状態を基準として上下方向、及び、室内側及び室外側等の方向を示す。また、矩形状に枠組みされた窓枠１０にあっては、当該窓枠１０に囲まれ、障子５、６によって閉止される空間である開口側を内方または内側とし、開口と反対側の窓枠１０の外周側を外方または外側として示す。また、障子５、６にあっては、框体２０に囲まれてガラス１５が設けられている側を内方または内側とし、ガラス１５と反対側の框体２０の外周側を外方または外側として示す。
【００１２】
内障子５及び外障子６の召合せ框２４は、図２に示すように、上下方向に連通する中空部を有する框本体部２５と、框本体部２５から框体２０の内側に向かって突出された面材当接部２６と、を有している。
【００１３】
尚、本実施形態においては、内障子５の召合せ框２４が、障子の召合せ框または見込み方向において当該召合せ框と対向する対向部材のうちの一方側に相当し、外障子６の召合せ框２４が、障子の召合せ框または見込み方向において当該召合せ框と対向する対向部材のうちの他方側に相当する。
【００１４】
内障子５及び外障子６の面材当接部２６において框本体部２５の室内側の面２５ａと繋がった内壁面２６ａのうち、外障子６の内壁面２６ａは、見付け方向において各框体２０の外周２５ｂ側からガラス１５側に向かって、対向する内障子５の召合せ框２４との見込み方向の間隔が順次広がるように傾斜が設けられている。
【００１５】
框本体部２５は、断面形状がほぼ長方形状をなし、内部に断面Ｕ字状の補強材４０が挿入されている。また、框本体部２５の内周側であって室外側の角部には、框本体部２５の内方側に窪む凹部であって、面材当接部２６と見込み方向において対向する押縁２８が取り付けられる押縁取付部２５ｃが設けられている。
【００１６】
内障子５の召合せ框２４には、框本体部２５の室外側に、見付け方向のほぼ中央と繋がって上框２１、下框２２、戸先框２３の室外側の面より突出されてほぼ平行をなす煙返し部２５ｄが、外障子６の召合せ框２４には、框本体部２５の室内側に、外周縁部と繋がって上框２１、下框２２、戸先框２３の室内側の面より突出されてほぼ平行をなす煙返し部２５ｄが、それぞれ一体に設けられている。
【００１７】
内障子５の召合せ框２４には、框体２０の外周２５ｂ側に、クレセント錠３０の回動するフック部３２を有する係止部材３１が、外障子６の召合せ框２４には、回動されたフック部３２が係止される受け部材としての受け金具３５が設けられている。
【００１８】
係止部材３１は、図３に示すように、内障子５の召合せ框２４に固定されてフック部３２を支持する支持部３４と、支持部３４に回動自在に支持されたフック部３２と、フック部３２を回動させる操作をするための操作部３３と、を備えている。
【００１９】
フック部３２は、支持部３４に回動自在に設けられたほぼ半円形状の回動板部３２ａと、回動板部のほぼ半円形状の輪郭に沿って、框体２０の外方に延出させた輪郭延出部３２ｂと、を有している。
【００２０】
受け金具３５は、図４に示すように、外障子６の室内に臨む面に取り付けられる取付部３５ａと、取付部３５ａより僅かに室内側に配置され、取付部３５ａと平行な面を有する受け部３５ｂと、を有している。また、取付部３５ａと受け部３５ｂとの境界部分であって、上下端側の領域を除く部位は、取付部３５ａと受け部３５ｂとに跨るように開口３５ｃが設けられており、受け部３５ｂからは外障子６のガラス中央側から開口３５ｃに向かって係止片３５ｄが突出されている。
【００２１】
クレセント錠３０は、内障子５と外障子６とが閉じた状態にて、操作部３３を操作して係止部材３１を回動させると、図３に示すように、フック部３２が受け金具３５の開口３５ｃに入り込んで外障子６側に突出しつつ回動し、輪郭延出部３２ｂが受け金具３５に設けられた係止片３５ｄの室外側に回り込み、輪郭延出部３２ｂが係止片３５ｄに係止されて施錠される。このとき、見付け方向において係止部材３１が回動する際にフック部３２が移動する領域が軌道領域(図２)である。
【００２２】
内障子５と外障子６とが閉じた状態では、係止部材３１の室外側に外障子６の召合せ框２４に固定された受け金具３５が配置されており、受け金具３５の室外側に召合せ框２４の面材当接部２６の先端が位置している。すなわち、外障子６の召合せ框２４における面材当接部２６は、見付け方向においてフック部３２の軌道領域に突出するように設けられている。また、前述したように、外障子６の面材当接部２６における室内側、すなわち、受け金具３５側の面は、見付け方向において框体２０の外周側からガラス１５に向かって、対向する受け金具３５との間隔が順次広がるように傾斜が設けられているので、軌道領域に突出している面材当接部２６と受け金具３５との間に空隙Ｓが設けられる。すなわち、本実施形態では、外障子６の面材当接部２６における受け金具３５側の内壁面２６ａが、空隙Ｓに臨む面に相当する。この空隙Ｓには、回動された係止部材３１のフック部３２が入り込み、見付け方向においてフック部３２の一部と面材当接部２６とが見込み方向に重なるように構成されている。本実施形態では、フック部３２が設けられた内障子５の召合せ框２４と見込み方向において対向する外障子６の召合せ框２４が、見込み方向に対向する対向部材である。
【００２３】
本実施形態の建具１は、フック部３２が係止される受け金具３５が取り付けられる外障子６の軌道領域に突出している面材当接部２６と受け金具３５との間に、回動されたフック部３２が入り込むための空隙Ｓが設けられているので、面材当接部２６を見付け方向においてフック部３２の軌道領域に突出させて、面材当接部２６とフック部３２とを見込み方向において重なるように配置することが可能である。すなわち、面材当接部２６をフック部３２の軌道領域に突出させて設けたとしても、回動したフック部３２は空隙Ｓに入り込むため、フック部３２と面材当接部２６とが干渉することなく施錠可能なクレセント錠３０を備えることが可能である。このため、外障子６（障子の召合せ框または対向部材のうちの他方側）に対する受け金具３５（受け部材）の見付け方向の突出量を小さく抑えることが可能である。
【００２４】
また、空隙Ｓを形成している外障子６の面材当接部２６の空隙Ｓに臨む面としての内壁面２６ａが、見付け方向において受け金具３５の取付部３５ａ側から受け部３５ｂ側方向に向かって、内障子５の召合せ框２４と面材当接部２６との見込み方向の間隔が順次広がるように傾斜しているので、フック部３２の軌道領域側に広い空隙を確保してフック部３２と面材当接部２６との干渉を避けることが可能である。また、面材当接部２６の空隙Ｓに臨む内壁面２６ａが傾斜しているので、内壁面２６ａには、空隙Ｓを設けるための段部等が形成されないので見栄えが良く意匠性に優れた建具１を提供することが可能である。
【００２５】
そして、外障子６の召合せ框２４における面材当接部２６と見込み方向に重なっているのは、フック部３２の一部だけなので、傾斜された内壁面２６ａにて形成された空隙Ｓの広い部分のみにフック部３２を入り込ませればよく、内障子５と外障子６との各召合せ框２４間の間隔を広げることなく、面材当接部２６の強度を確保しつつ、面材当接部２６をフック部３２の軌道領域に突出させることが可能である。
【００２６】
上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【００２７】
上記実施形態においては、外障子６の召合せ框２４における、係止部材３１が回動した際にフック部３２が入り込む空隙Ｓに臨む内壁面２６ａが、受け金具３５の取付部３５ａ側から受け部３５ｂ側方向に向かって受け金具３５との見込み方向の間隔が順次広がるような傾斜が設けられている例について説明したが、これに限るものではない。
【００２８】
例えば、外障子６の召合せ框２４における空隙Ｓに臨む内壁面２６ｂが、図５に示すように、見付け方向に沿って形成されていてもよい。この場合には、外障子６の召合せ框２４における空隙Ｓに臨む内壁面２６ｂが、面材当接部２６と受け金具３５との間の狭い領域に、フック部３２のより多くの部位が収容されるように効率よく空隙Ｓを設けることが可能である。また、空隙Ｓに臨む内壁面２６ｂが見付け方向に沿って形成されているので、召合せ框２４の外周２５ｂ側からガラス１５側に向かう方向において、空隙Ｓに臨む内壁面２６ｂと受け金具との間隔が一定である。すなわち、見付け方向においてフック部３２の軌道領域に面材当接部２６が入り込む幅が広くなったとしても、上記実施形態の空隙Ｓに臨む内壁面２６ａのように傾斜していないので、面材当接部２６の見込み方向の厚みは変化しない。このため、フック部３２の軌道領域に、外障子６の面材当接部２６が入り込む量を大きくすることができる。よって、面材当接部２６の適切な強度を確保しつつクレセント錠３０がガラス１５側に突出する量をより小さく抑えることが可能である。
【００２９】
上記実施液体においては、クレセント錠３０が、召合せ框２４の長手方向において１カ所に設けられている例について説明したが、これに限るものではない。
【００３０】
上記実施形態においては、窓枠１０及び框体２０を樹脂製としたが、これに限らず、例えばアルミニウム製であっても構わない。
【００３１】
また、上記実施形態においては、障子５、６が左右方向に移動可能な引き違い窓用の建具１を例に挙げて説明したが、片引き窓や、開口枠内を移動障子が垂直方向に移動可能に設けられた上げ下げ窓であっても構わない。このような場合には、クレセント錠３０の係止部材３１が設けられている召合せ框と対向する対向部材となる縦骨や横桟などに受け金具３５が取り付けられる。尚、片引き窓においては、可動障子側にクレセント錠３０のフック部３２を設け、可動障子の召合せ框と対向する固定障子の召合せ框、または縦骨に受け金具３５を設けてもよく、反対に、可動障子側に受け金具３５を設け、可動障子の召合せ框と対向する固定障子の召合せ框、または縦骨にクレセント錠３０のフック部３２を設けてもよい。
【図面の簡単な説明】
【００３２】
【図１】本実施形態に係る建具を室内側からみた外観図である。
【図２】本実施形態に係る建具の召合せ部分を示す水平断面図である。
【図３】フック部の軌道を説明するための図である。
【図４】受け部材の正面図である。
【図５】建具の変形例を示す水平断面図である。
【符号の説明】
【００３３】
１  建具、５  内障子、６  外障子、２４  召合せ框、２６  面材当接部、
２６ａ  内壁面、２６ｂ  内壁面、３０  クレセント錠、３１  係止部材、
３２  フック部、３５  受け金具、Ｓ  空隙
【図１】
2010095912.tif 000003
【図２】
2010095912.tif 000004
【図３】
2010095912.tif 000005
【図４】
2010095912.tif 000006
【図５】
2010095912.tif 000007